(57)【要約】【課題】公衆移動通信網及び公衆固定通信網の利用が可能な移動通信端末において、何れか一方の通信網が利用できない場合にも確実に発着信できるようにする。【解決手段】移動通信端末５−１〜５−３は、移動通信網２に位置登録することで、移動通信網２を利用でき、主装置３を介して固定通信網１に位置登録することで、固定通信網１を利用できる。固定通信網１を優先的に利用するように設定しておき、固定通信網１が利用できない場合は、移動通信網２を利用する。【選択図】    図１
2007274646.tif 000002
【特許請求の範囲】
【請求項１】
公衆移動通信網に対する位置登録、及び公衆固定通信網に有線接続された自営基地局を介した前記公衆固定通信網に対する位置登録が可能な移動通信端末であって、
前記公衆移動通信網に位置登録要求メッセージを送信する手段と、前記自営基地局を介して前記公衆固定通信網に位置登録要求メッセージを送信する手段と、利用する通信網を選択する手段とを備えたことを特徴とする移動通信端末。
【請求項２】
請求項１記載の移動通信端末において、
前記選択する手段は、予め設定された基準に従って、利用する通信網を選択することを特徴とする移動通信端末。
【請求項３】
請求項２記載の移動通信端末において、
前記選択する手段は、前記自営基地局から、該自営基地局と前記公衆固定通信網との間の空き回線の有無に応じて、空き回線があるときは前記公衆固定通信網を選択し、前記空き回線がないときは前記公衆移動通信網を選択することを特徴とする移動通信端末。
【請求項４】
公衆固定通信網に接続されると共に、自営無線回線を介して移動通信端末を接続可能な自営基地局と、公衆移動通信網に対する位置登録、及び前記自営基地局を介した前記公衆固定通信網に対する位置登録が可能な移動通信端末と、前記移動通信端末の位置登録情報を管理する管理サーバとを備えた通信システムであって、
前記移動通信端末は、前記公衆移動通信網に位置登録要求メッセージを送信する手段と、前記自営基地局に前記公衆固定通信網に対する位置登録要求メッセージを送信する手段と、前記位置登録情報に応じて利用する通信網を選択する手段とを備え、前記自営基地局は前記移動通信端末からの前記位置登録要求メッセージを前記管理サーバへ送信する手段を備え、前記管理サーバは、前記移動通信端末の位置登録情報を前記公衆移動通信網及び公衆固定通信網経由で受信する手段を備えたことを特徴とする通信システム。
【発明の詳細な説明】
【技術分野】
【０００１】
本発明は、公衆移動通信網に対する位置登録、及び公衆固定通信網に有線接続された自営基地局を介した前記公衆固定通信網に対する位置登録が可能な移動通信端末に関し、詳細には、何れか一方の通信網が利用できなくても、確実に発着信できる移動通信端末及び通信システムに関する。
【背景技術】
【０００２】
公衆モード及び自営モードで動作可能な移動通信端末、即公衆基地局を介して公衆移動通信網に位置登録することで公衆移動通信網を利用でき、公衆固定通信網に接続された自営基地局（家庭や事業所などに設置）を介して公衆固定通信網に位置登録することで公衆固定通信網を利用できる通信システムがある（特許文献１参照）。
【０００３】
しかしながら、この通信システムでは、移動通信端末が何れか一方の通信網に位置登録されているため、何らかの理由（位置登録している通信網の回線に空きが無いなど）で位置登録している通信網を利用できない場合は発着信ができないという問題がある。
【特許文献１】特開平８−２３７７４２号公報
【発明の開示】
【発明が解決しようとする課題】
【０００４】
本発明は、前記従来の問題点に鑑みてなされたものであり、その目的は、公衆移動通信網に対する位置登録、及び公衆固定通信網に有線接続された自営基地局を介した前記公衆固定通信網に対する位置登録が可能な移動通信端末において、何れか一方の通信網が何らかの理由で利用できない場合にも確実に発着信できるようにすることである。
【課題を解決するための手段】
【０００５】
請求項１の発明は、公衆移動通信網に対する位置登録、及び公衆固定通信網に有線接続された自営基地局を介した前記公衆固定通信網に対する位置登録が可能な移動通信端末であって、前記公衆移動通信網に位置登録要求メッセージを送信する手段と、前記自営基地局を介して前記公衆固定通信網に位置登録要求メッセージを送信する手段と、利用する通信網を選択する手段とを備えたことを特徴とする。
請求項２の発明は、請求項１記載の移動通信端末において、前記選択する手段は、予め設定された基準に従って、利用する通信網を選択することを特徴とする。
請求項３の発明は、請求項２記載の移動通信端末において、前記選択する手段は、前記自営基地局から、該自営基地局と前記公衆固定通信網との間の空き回線の有無に応じて、空き回線があるときは前記公衆固定通信網を選択し、前記空き回線がないときは前記公衆移動通信網を選択することを特徴とする。
請求項４の発明は、公衆固定通信網に接続されると共に、自営無線回線を介して移動通信端末を接続可能な自営基地局と、公衆移動通信網に対する位置登録、及び前記自営基地局を介した前記公衆固定通信網に対する位置登録が可能な移動通信端末と、前記移動通信端末の位置登録情報を管理する管理サーバとを備えた通信システムであって、前記移動通信端末は、前記公衆移動通信網に位置登録要求メッセージを送信する手段と、前記自営基地局に前記公衆固定通信網に対する位置登録要求メッセージを送信する手段と、前記位置登録情報に応じて利用する通信網を選択する手段とを備え、前記自営基地局は前記移動通信端末からの前記位置登録要求メッセージを前記管理サーバへ送信する手段を備え、前記管理サーバは、前記移動通信端末の位置登録情報を前記公衆移動通信網及び公衆固定通信網経由で受信する手段を備えたことを特徴とする。
【０００６】
（作用）
請求項１の発明によれば、移動通信端末が公衆移動通信網及び公衆固定通信網に位置登録し、利用する通信網を選択する。
請求項２の発明によれば、予め設定された基準に従って、公衆固定通信網又は公衆移動通信網を利用する。
請求項３の発明によれば、自営基地局と公衆固定通信網との間に空き回線があるときは公衆固定通信網を利用し、空き回線がないときは公衆移動通信網を利用する。
請求項４の発明によれば、移動通信端末は、公衆移動通信網に位置登録要求メッセージを送信し、自営基地局に公衆固定通信網に対する位置登録要求メッセージを送信し、位置登録情報に応じて利用する通信網を選択する。自営基地局は移動通信端末からの位置登録要求メッセージを管理サーバへ送信する。管理サーバは、移動通信端末の位置登録情報を公衆移動通信網及び公衆固定通信網経由で受信する。
【発明の効果】
【０００７】
本発明によれば、公衆移動通信網に対する位置登録、及び公衆固定通信網に有線接続された自営基地局を介した前記公衆固定通信網に対する位置登録が可能な移動通信端末において、何れか一方の通信網が利用できない場合にも確実に発着信できる。
【発明を実施するための最良の形態】
【０００８】
以下、本発明の実施形態について図面を参照して説明する。
図１は本発明の実施形態の移動通信端末を備えた通信システムの構成を示す図である。この通信システムは、公衆固定通信網（以下、固定通信網）1と、公衆移動通信網（以下、移動通信網）２と、固定通信網1及び移動通信網２に接続された管理サーバ４と、３台の移動通信端末機５−１〜５−３と、固定通信網1に接続された固定通信端末６とを備えている。固定通信網１と、移動通信網２とは互いに接続されており、音声信号及び各種制御信号などの送受信が可能である。移動通信網２には公衆基地局（以下、基地局）２１が接続され、固定通信網１には、自営基地局であるボタン電話システムの主装置３が接続されている。主装置３は、自営無線回線（無線ＬＡＮ、Bluetooth（登録商標）など）により移動通信端末５−１〜５−３と通信可能である。移動通信端末５−１〜５−３は、基地局２１を通して移動通信網２を利用することもできる。ここで、移動通信端末５−１〜５−３の各々の電話番号は固定通信網１及び移動通信網２に共通である。なお、ここでは便宜上、基地局２１を移動通信網２の外に図示した。
【０００９】
管理サーバ４は、移動通信端末５−１〜５−３の位置登録情報（基地局２１を通して移動通信網２に位置登録／主装置３を通して固定通信網１に位置登録など）を記憶するための位置登録情報記憶部４ａを備えている。
【００１０】
移動通信端末５−１〜５−３は、固定通信網１に接続された主装置３との無線通信可能範囲（以下、主装置３の圏内とも言う）１２、即ち主装置３のアンテナから放射される自営無線回線の電波の受信可能範囲内では、主装置３を介して固定通信網１を利用でき、基地局２１との無線通信可能範囲（以下、基地局２１の圏内とも言う）１１、即ち基地局２１のアンテナから放射される公衆無線回線の電波の受信可能範囲内では、移動通信網２を利用できる。
【００１１】
ここで、固定通信網１を利用するときは、主装置３に対し、位置登録要求を行い、それが主装置３から固定通信網１経由で管理サーバ４に通知され、位置登録情報記憶部４ａに記憶されると、固定通信網１を利用できるようになる。同様に、移動通信網２を利用するときは、基地局２１に対し、位置登録要求を行い、それが基地局２１から移動通信網２経由で管理サーバ４に通知され、位置登録情報記憶部４ａに記憶されると、移動通信網２を利用できるようになる。
【００１２】
図２に示すように、主装置３は、制御部４１と、それぞれ制御部４１に接続された固定網インタフェース部４２、無線インタフェース部４３、通話路スイッチ部４４、及び記憶部４５とを備えている。ここで、主装置３と固定通信網１とは、通信用の１回線及び制御用の１回線で接続されている。
【００１３】
制御部４１はマイクロプロセッサ等で構成されており、この主装置３全体の制御等を行う。固定網インタフェース部４２は固定通信網１に接続され、通信用回線の閉結、開放等を行う。無線インタフェース部４３は通話路スイッチ部４４から出力される音声信号、及び制御部４１から出力される各種制御信号をアンテナを介して移動通信端末５−１〜５−３へ送信し、移動通信端末５−１〜５−３から送信され、アンテナで受信された音声信号、各種制御信号をそれぞれ通話路スイッチ部４４、制御部４１へ出力する。通話路スイッチ部４４は、固定網インタフェース部４２と、無線インタフェース部４３との間の通話路（送話及び受話の音声信号の伝送路）のスイッチングを行う。記憶部４５は、制御部４１が各種動作を行うときに使用するプログラムが記憶されたＲＯＭ、制御部４１が各種動作を行うときのワークエリアとなるＲＡＭ、各種データを記憶するためのフラッシュメモリ等からなり、ここでは便宜上、主装置３を介して固定通信網１に位置登録されている移動通信端末５−１〜５−３に関する情報を記憶するための位置登録情報記憶部４５ａを示している。
【００１４】
図３に示すように、移動通信端末５−１〜５−３は、制御部５１と、それぞれ制御部５１に接続されて基地局インタフェース部５２、主装置インタフェース部５３、スイッチ５４、通話回路部５５、操作部５６、記憶部５７、及び信号処理部５８を備えている。また、信号処理部５８には、マイクロフォン（以下、マイクと言う）５９及びスピーカ６０が接続されている。
【００１５】
制御部５１はマイクロプロセッサ等で構成されており、この移動通信端末５全体の制御等を行う。基地局インタフェース部５２は、基地局２１との間で音声信号及び各種制御信号等をアンテナを介して送受信する。主装置インタフェース部５３は、主装置３との間で音声信号及び各種制御信号等をアンテナを介して送受信する。スイッチ５４は、制御部５１の制御により、基地局インタフェース部５２側と主装置インタフェース部５３側とに切替わり、基地局インタフェース部５２及び主装置インタフェース部５３を選択的に通話回路部５５及び制御部５１に接続する。通話回路部５５は、信号処理部５８を介してマイク５９及びスピーカ６０とスイッチ５４との間の音声信号伝送路（送話パス、受話パス）を形成する。操作部５６は、電話番号入力用の数字キー、電源キー、各種機能キーからなり、ユーザの指令を入力するために用いられる。記憶部５７は制御部４１が各種動作を行うときに使用するプログラムが記憶されたＲＯＭ、制御部４１が各種動作を行うときのワークエリアとなるＲＡＭ、各種データを記憶するためのフラッシュメモリ等からなる。信号処理部５８は、音声信号の増幅、符号化、復号化などを行う。マイク５９はユーザの発生した音声を音声信号（電気信号）に変換して信号処理部５８へ出力し、スピーカ６０は信号処理部５８から出力された音声信号を音声に変換して出力する。
【００１６】
以上の構成を有する通信システムについて、[１]移動通信端末５−１〜５−３の位置登録方法、[２]移動通信端末５−２を固定通信網１及び移動通信網２に位置登録し、固定通信網１に対する登録確認ができなくなった後に再度固定通信網１に位置登録を行った場合の動作手順、[３]移動通信端末５−２を固定通信網１及び移動通信網２に位置登録し、移動通信端末５−１が固定通信網１を利用し、移動通信端末５−２が固定通信網１に対する登録確認ができなくなった後に再度固定通信網１に位置登録を行った場合の動作手順、[４]移動通信端末５−２を固定通信網１及び移動通信網２に位置登録した後に、優先的な利用が設定されている固定通信網１を利用した発信に失敗した場合の動作手順、[５]移動通信端末５−２を固定通信網１及び移動通信網２に位置登録した後に、優先的な利用が設定されている固定通信網１を利用して発信し、その後、固定通信網１の登録確認ができなくなったため移動通信網２を利用して発信した場合の動作手順、[６]移動通信端末５−２を固定通信網１及び移動通信網２に優先順位を付けて位置登録した後に着信した場合の動作手順、[７]移動通信端末５−２を固定通信網１及び移動通信網２に位置登録した後に、利用中の通信網を移動通信網２から固定通信網１に切替えた場合の動作手順について説明する。これらの手順はＳＩＰ（Session Initiation Protocol）を用いて実行される。
【００１７】
[１]移動通信端末５−１〜５−３の位置登録方法
移動通信端末５−１〜５−３は、移動通信網２を利用するときは、移動通信網２に対して移動通信端末５の位置及びＩＤ等に関する登録（位置登録）を行う。基地局２１は、移動通信端末５−１〜５−３が無線通信可能範囲１１内に存在するか否かを検出するため、基地局ＩＤを含む位置登録用電波を定期的或いはランダムに送信しており、移動通信端末５−1〜５−３は位置登録用電波を受信したときに、基地局ＩＤを記憶部５７に記憶すると共に、移動通信端末５−１〜５−３の端末ＩＤを含む位置登録要求メッセージを載せた応答電波を基地局２１へ送信する。基地局２１は、位置登録要求メッセージを受信することで、移動通信端末５−１〜５−３が通信可能範囲１１内に存在することを検出すると、それを管理サーバ４に通知する。管理サーバ４がこの通知の受信に基づいて、移動通信端末５−１〜５−３が移動通信網２に位置登録されたことを位置登録情報記憶部４ａに記憶することで、移動通信端末５−１〜５−３は移動通信網２を利用できるようになる。
【００１８】
また、移動通信端末５−１〜５−３は、主装置３を介して固定通信網１を利用するときは、固定通信網１に対して移動通信端末５−１〜５−３の位置及びＩＤ等に関する登録（位置登録）を行う。固定通信網１に接続された主装置３は、移動通信端末５−１〜５−３が通信可能範囲１２内に存在するか否かを検出するため、主装置ＩＤを含む位置登録用電波を定期的或いはランダムに送信しており、移動通信端末５−１〜５−３は位置登録用電波を受信したときに、主装置ＩＤを記憶部５７に記憶すると共に、移動通信端末５−１〜５−３の端末ＩＤを含む位置登録要求メッセージを載せた応答電波を主装置３へ送信する。主装置３は、応答電波を受信することで、移動通信端末５−１〜５−３が無線通信可能範囲１２内に存在することを検出すると、その端末ＩＤを位置登録情報記憶部４５ａに記憶すると共に、固定通信網１を通して、管理サーバ４に位置登録情報を送信する。管理サーバ４がこの位置登録情報を受信し、位置登録情報記憶部４ａに記憶することで、移動通信端末５−１〜５−３は固定通信網１を利用できるようになる。ただし、本実施形態では、主装置３を介して固定通信網１に位置登録している移動通信端末の数（＝３）よりも自営基地局３の固定通信網１に対する同時接続処理能力の方が低いため、３台の移動通信端末５−１〜５−３が同時に固定通信網１を利用することはできない。
【００１９】
本実施形態では、基地局２１の圏内１１は主装置３の圏内１２を含んでいるため、固定通信網１の利用可能範囲では移動通信網２の利用も可能となる。本実施形態では固定通信網１を優先的に利用するように設定している。
【００２０】
移動通信端末５−１〜５−３は、制御部５１の制御により、スイッチ５４を所定のタイミングで切替え、基地局インタフェース部５２及び主装置インタフェース部５３をそれぞれのタイミングで動作させる。基地局インタフェース部５２は基地局２１からの無線電波に含まれている情報を取り出し、主装置インタフェース部５３は主装置３からの無線電波に含まれている情報を取り出すので、移動通信端末５−１〜５−３が基地局２１の圏内１１に存在するときは移動通信網２に位置登録され、移動通信端末５−１〜５−３が主装置３の圏内１２に存在するときは固定通信網１に位置登録される。
【００２１】
[２]移動通信端末５−２を固定通信網１及び移動通信網２に位置登録し、固定通信網１に対する登録確認ができなくなった後に再度固定通信網１に位置登録を行った場合の動作手順
図４に示す動作シーケンス図を用いて説明する。移動通信端末５−２は移動通信網２に対し位置登録を要求するため、ＳＩＰによるRegist(位置登録)メッセージを送信し（手順Ｓ１）、移動通信網２は管理サーバ４へRegist(位置登録)メッセージを送信する（手順Ｓ２）。管理サーバ４は、移動通信端末５−２が移動通信網２に位置登録されたことを位置登録情報記憶部４ａに記憶した後、位置登録が完了したこと（ＯＫ）を移動通信網２を介して移動通信端末５−２へ通知する（手順Ｓ３、Ｓ４）。なお、図示の便宜上、移動通信端末５−２から送信されるメッセージにのみ”Regist”を記載した。
【００２２】
また、移動通信端末５−２は主装置３を介して固定通信網１にRegist(位置登録)メッセージを送信し（手順Ｓ５、Ｓ６）、固定通信網２は管理サーバ４へRegist(位置登録)メッセージを送信する（手順Ｓ７）。管理サーバ４は、移動通信端末５−２が固定通信網１に位置登録されたことを位置登録情報記憶部４ａに記憶した後、位置登録が完了したこと（ＯＫ）を固定通信網１及び主装置３を介して移動通信端末５−２へ通知する（手順Ｓ８〜Ｓ１０）。
【００２３】
移動通信端末５−２は、位置登録の完了通知を受けた後、定期的に固定通信網１及び移動通信網２に対し、Registメッセージを送信し、位置登録状態の確認を要求する。本実施形態では、固定通信網１に対する位置登録の確認の周期を移動通信網２に対する位置登録の確認の周期よりも短くしており、まず主装置３に対し、Regist（登録確認）メッセージを送信している（手順Ｓ１１）。位置登録の確認は、主装置３の位置登録情報記憶部４５ａに移動通信端末５−２の端末ＩＤが格納されているか否かに基づいて行われる。ここでは、何らかの原因で主装置３から応答がなく、移動通信端末５−２にてタイムアウトとなる（手順Ｓ１２）。主装置３は、位置登録確認ができなかったことを示すメッセージ（ＮＧ）を固定通信網１を通して管理サーバ４に通知する（手順Ｓ１３、Ｓ１４）。
【００２４】
移動通信端末５−２は、固定通信網１に対する位置登録確認に失敗したとき、手順Ｓ５〜Ｓ１０と同じ手順により、固定通信網１に対し再度位置登録を行う（手順Ｓ１５〜Ｓ２０）。このとき、移動通信網２の位置登録状態には影響しない。固定通信網１に対する二回目の位置登録の後に、主装置３に対し、Regist（登録確認）メッセージを送信する（手順Ｓ２１）。今回は登録確認応答メッセージ（ＯＫ）が主装置３から送信されている（手順Ｓ２２）。
【００２５】
次いで、移動通信端末５−２は移動通信網２に対しRegist（登録確認）メッセージを送信し（手順Ｓ２３）、移動通信網２が管理サーバ４へRegist（登録確認）メッセージを送信する（手順Ｓ２４）。管理サーバ４は、位置登録情報記憶部４ａにアクセスし、移動通信端末５−２が移動通信網２に位置登録されていることを確認すると、移動通信網２を介して移動通信端末５−２に対し、位置登録確認応答メッセージを送信する（手順Ｓ２５、Ｓ２６）。以後、定期的に固定通信網１及び移動通信網２における位置登録状態の確認を行う手順を繰り返す。
このように、主装置３に何らかの異常があったり、無線通信不能（圏外などを含む）になったりした場合でも、定期的或いはランダムにRegistメッセージを送信することで位置登録が可能になる。なお、RegistメッセージはExpire（登録の有効期限情報）を含んでいるため、登録確認を管理サーバ４が有効期限内に受け取れなかった場合は、管理サーバ４の位置登録情報記憶部４a内の位置登録情報を削除する。
【００２６】
[３]移動通信端末５−２を固定通信網１及び移動通信網２に位置登録し、移動通信端末５−１が固定通信網１を利用し、移動通信端末５−２が固定通信網１に対する登録確認ができなくなった後に再度固定通信網１に位置登録を行った場合の動作手順を示す図である。
図５に示す動作シーケンス図を用いて説明する。この図において、図４の手順と同一の手順には図４で使用した符号（手順番号）を付した。移動通信端末５−２が主装置３に対しRegist(登録確認)メッセージを送信する手順（手順Ｓ１１）迄は図４と同じである。
【００２７】
移動通信端末５−２からRegist(登録確認)メッセージを受信した主装置３は、移動通信端末５−２へ登録確認応答メッセージ（ＯＫ）を送信する（手順Ｓ２７）。次いで、移動通信端末５−１と、固定通信端末６とが固定通信網１を利用して通話を行っている状態になる。この通話中に移動通信端末５−２が主装置３に対し、Regist(登録確認)メッセージを送信したとき（手順Ｓ２８）、何らかの原因で主装置３から応答がなく、移動通信端末５−２にてタイムアウトとなる（手順Ｓ２９）。主装置３は、位置登録確認ができなかったことを示すメッセージ（ＮＧ）を固定通信網１を通して管理サーバ４に通知する（手順Ｓ３０、Ｓ３１）。
【００２８】
固定通信網１に対する位置登録確認に失敗したとき、手順Ｓ５〜Ｓ１０と同じ手順により、固定通信網１に対し再度位置登録を行う（手順Ｓ３２〜Ｓ３７）。ここでは、移動通信端末５−１と、固定通信端末６との間の通話が終了し、その間の回線の切断後、位置登録が行われている。
【００２９】
[４]移動通信端末５−２を固定通信網１及び移動通信網２に位置登録した後に、優先的な利用が設定されている固定通信網１を利用した発信に失敗した場合の動作手順
図６に示すシーケンス図を用いて説明する。この図において、図４の手順と同一の手順には図４で使用した符号を付した。移動通信端末５−２の固定通信網１及び移動通信網２に対する位置登録が完了する手順（手順Ｓ１０）迄は図４と同じである。
【００３０】
移動通信端末５−２には、固定通信網１及び移動通信網２の双方に位置登録されているときは固定通信網１を優先的に利用することが設定されている。この設定は、ユーザが操作部５６から設定情報を入力し、それを制御部５１が記憶部５７に記憶することにより行われる。移動通信端末５−２は優先的な利用が設定されている固定通信網１を用いて固定通信端末６に発信するために、主装置３に発信信号を送信する（手順Ｓ３８）。ここでは、何らかの原因で主装置３から応答がなく、移動通信端末５−２にてタイムアウトになる（手順Ｓ３９）。
【００３１】
次いで移動通信端末５−２は、固定通信網１を用いて固定通信端末６に発信しても、応答がなかったため、固定通信網１に対する位置登録の解除を要求するため、主装置３に対し、Regist(登録解除)メッセージを送信する（手順Ｓ４０）。主装置３は、Regist(登録解除)メッセージを固定通信網１を介して管理サーバ４へ送信する（手順Ｓ４１、Ｓ４２）。
【００３２】
次に移動通信端末５−２は、移動通信網２を用いて固定通信端末６へ発信する（手順Ｓ４３、Ｓ４４）。その後、先に位置登録を解除した固定通信網１に対し、手順Ｓ５〜Ｓ１０と同じ手順で位置登録が行われる（手順Ｓ４５〜Ｓ５０）。
【００３３】
[５]移動通信端末５−２を固定通信網１及び移動通信網２に位置登録した後に、優先的な利用が設定されている固定通信網１を利用して発信し、その後、固定通信網１の登録確認ができなくなったため移動通信網２を利用して発信した場合の動作手順
図７に示す動作シーケンス図を用いて説明する。この図において、図６の手順と同一の手順には図６で使用した符号を付した。移動通信端末５−２が、固定通信網１を用いて固定通信端末６へ発信するため、主装置３へ発信信号を送信する手順（手順Ｓ３８）迄は図６と同じである。ここでは、主装置３が固定通信網１を介して固定通信端末６へ発信している（手順Ｓ５１、Ｓ５２）。
【００３４】
この発信に対し、固定通信端末６から応答がなく、移動通信端末５−２はアイドル状態となる。その後、移動通信端末５−２は、主装置３に対し、Regist(登録確認)メッセージを送信する（手順Ｓ５３）。ここでは、何らかの原因で主装置３から応答がなく、移動通信端末５−２にてタイムアウトになる（手順Ｓ５４）。主装置３は固定通信網１を通して管理サーバ４に登録確認ができなかったことを通知する（手順Ｓ５５、Ｓ５６）。次に移動通信端末５−２は、固定通信網１に対する位置登録確認ができなかったため、移動通信網２を用いて固定通信端末６へ発信する（手順Ｓ５７、Ｓ５８）。
【００３５】
[６]移動通信端末５−２を固定通信網１及び移動通信網２に優先順位を付けて位置登録した後に着信した場合の動作手順
図８に示す動作シーケンス図を用いて説明する。移動通信端末５−２は移動通信網２に対し、Regist(位置登録)メッセージを送信し（手順Ｓ６１）、移動通信網２は管理サーバ４へRegist(位置登録)メッセージを送信する（手順Ｓ６２）。これらの手順は基本的に図４の手順Ｓ１、Ｓ２と同じであるが、ここでは利用の優先順位を示す情報である「qvalue」を移動通信端末５−２にて設定しており、その「qvalue」が管理サーバ４に登録される。管理サーバ４は、移動通信端末５−２が移動通信網２に位置登録されたこと及び「qvalue」を位置登録情報記憶部４ａに記憶した後、位置登録が完了したことを移動通信網２を介して移動通信端末５−２へ通知する（手順Ｓ６３、Ｓ６４）。
【００３６】
次いで移動通信端末５−２は主装置３を介して固定通信網１にRegist(位置登録)メッセージを送信し（手順Ｓ６５、Ｓ６６）、固定通信網２は管理サーバ４へRegist(位置登録)メッセージを送信する（手順Ｓ６７）。これらの手順は基本的には図４の手順Ｓ５〜Ｓ７と同じであるが、ここでは「qvalue」を移動通信端末５−２にて設定しており、その「qvalue」が管理サーバ４に登録される。管理サーバ４は、移動通信端末５−２が固定通信網１に位置登録されたこと及び「qvalue」を位置登録情報記憶部４ａに記憶した後、位置登録が完了したことを固定通信網１及び主装置３を介して移動通信端末５−２へ通知する（手順Ｓ６８〜Ｓ７０）。
【００３７】
本実施形態では、固定通信網１を優先して利用するために、固定通信網２の「qvalue」（＝０．２）を「移動通信網１の「qvalue」（＝０．１）よりも大きく設定している。固定通信端末６から移動通信端末５−２に対する発信があったとき、管理サーバ４は位置登録情報記憶部４ａに記憶されている「qvalue」に基づいて、固定通信網１を経由して着信するように制御する（手順７１〜Ｓ７３）。
【００３８】
[７]移動通信端末５−２を固定通信網１及び移動通信網２に位置登録した後に、利用中の通信網を移動通信網２から固定通信網１に切替えた場合の動作手順
図９の動作シーケンス図を用いて説明する。この図において、図４の手順と同一の手順には図４で使用した符号を付した。移動通信端末５−２の固定通信網１及び移動通信網２に対する位置登録が完了する手順（手順Ｓ１０）迄は図４と同じである。ここでは、何らかの原因で主装置３から応答がなく、移動通信端末５−２にてタイムアウトになる（手順Ｓ７４）。主装置３は固定通信網１を通して管理サーバ４に登録確認ができなかったことを通知する（手順Ｓ７５、Ｓ７６）。
【００３９】
次に移動通信端末５−２は、固定通信網１を利用できないため、移動通信網２を利用して、図示されていない通信端末と通話を行う。その後、移動通信端末５−１と、固定通信端末６との間の通話が終了し、回線が切断される。この回線切断の後、手順Ｓ５〜Ｓ１０と同じ手順により、移動通信端末５−２の固定通信網１に対する位置登録が行われる（手順Ｓ７７〜Ｓ８２）。
【００４０】
次いで移動通信端末５−２は、移動通信網２を利用して通話している通信端末に対し、主装置３及び固定通信網１を介して、移動通信網１から固定通信網１に切替えることを要求するため、Replaceメッセージを送信する（Ｓ８３〜Ｓ８５）。このメッセージを受信した通信端末が切替えを了承するメッセージ（ＯＫ）を返送し、それを移動通信端末５−２が受信（Ｓ８６〜Ｓ８８）した後に、固定通信網１に切替える。
【図面の簡単な説明】
【００４１】
【図１】本発明の実施形態の移動通信端末を備えた通信システムの構成を示す図である。
【図２】本発明の実施形態の移動通信端末を備えた通信システムにおける主装置のブロック図である。
【図３】本発明の実施形態の移動通信端末のブロック図である。
【図４】本発明の実施形態の移動通信端末を固定通信網及び移動通信網に位置登録した後に、固定通信網に対する登録確認ができなくなった後に再度固定通信網に位置登録を行った場合の動作手順を示す図である。
【図５】本発明の実施形態の移動通信端末を固定通信網及び移動通信網に位置登録し、他の移動通信端末が固定通信網を利用し、本発明の実施形態の移動通信端末が固定通信網に対する登録確認ができなくなった後に再度固定通信網に位置登録を行った場合の動作手順を示す図である。
【図６】本発明の実施形態の移動通信端末を固定通信網及び移動通信網に位置登録した後に、固定通信網を利用した発信に失敗した場合の動作手順を示す図である。
【図７】本発明の実施形態の移動通信端末を固定通信網及び移動通信網に位置登録し、優先的な利用が設定されている固定通信網を利用して発信し、その後、固定通信網の登録確認ができなくなったため移動通信網を利用して発信した場合の動作手順を示す図である。
【図８】本発明の実施形態の移動通信端末を固定通信網及び移動通信網に優先順位を付けて位置登録した後に着信した場合の動作手順を示す図である。
【図９】本発明の実施形態の移動通信端末を固定通信網及び移動通信網に位置登録した後に、利用中の通信網を移動通信網から固定通信網に切替えた場合の動作手順を示す図である。
【符号の説明】
【００４２】
１・・・固定通信網、２・・・移動通信網、３・・・主装置、４・・・管理サーバ、４ａ，４５ａ・・・位置登録情報記憶部、５−１〜５−３・・・移動通信端末、２１・・・基地局。
【図１】
2007274646.tif 000003
【図２】
2007274646.tif 000004
【図３】
2007274646.tif 000005
【図４】
2007274646.tif 000006
【図５】
2007274646.tif 000007
【図６】
2007274646.tif 000008
【図７】
2007274646.tif 000009
【図８】
2007274646.tif 000010
【図９】
2007274646.tif 000011